(57)【要約】【課題】商品等を売買する店舗において、中央銀行等に報告が義務づけられている事項を容易に出力することができ、かつ、店舗側にとっても有益な情報を出力することができる貨幣精算装置および貨幣取引システムを提供する。【解決手段】本実施形態による貨幣精算装置は、商品の代金を現金で精算するときの精算処理、および、銀行口座の預金を用いた口座取引を行なうことができる貨幣精算装置であって、精算処理および口座取引において入金または出金された貨幣の取引情報を正券と損券とに分けて金種ごとに記憶する記憶部と、取引情報を金種ごとに正券と損券とに区別して出力する出力部とを備えている。【選択図】図１
2013134568.tif 000002
【特許請求の範囲】
【請求項１】
商品の代金を精算するときの精算処理、および、銀行口座に関する口座取引における貨幣の入出金処理を行なう貨幣精算装置であって、
前記精算処理および前記口座取引において入金または出金された貨幣の取引情報を正券と損券とに分けて金種ごとに記憶する記憶部と、
前記取引情報を金種ごとに正券と損券とに区別して出力する出力部とを備えた貨幣精算装置。
【請求項２】
前記出力部は、前記取引情報を前記精算処理と前記口座取引とに区別して出力することを特徴とする請求項１に記載の貨幣精算装置。
【請求項３】
前記取引情報は、出金によって市場に再流通させた貨幣の金種および正券または損券の情報を含むことを特徴とする請求項１または請求項２に記載の貨幣精算装置。
【請求項４】
前記取引情報は、中央銀行へ報告することが要求されている情報を含む取引レポートとして前記出力部から出力されることを特徴とする請求項１から請求項３のいずれかに記載の貨幣精算装置。
【請求項５】
前記取引レポートは、前記貨幣精算装置のメーカー情報と、前記貨幣精算装置の機種情報と、前記貨幣精算装置が設置された店舗の情報とを有するマスタデータを含むことを特徴とする請求項４に記載の貨幣精算装置。
【請求項６】
前記取引レポートは、前記貨幣精算装置が前記精算処理によって精算する貨幣量の情報および前記口座取引の出金によって再流通させた貨幣量の情報を、金種ごとに正券と損券とに区別した状態で含む作業データを含むことを特徴とする請求項４または請求項５に記載の貨幣精算装置。
【請求項７】
前記取引情報は、前記貨幣精算装置に格納されている金種ごとの貨幣の在高情報を含み、
前記出力部は、前記在高情報を含む前記取引情報を店舗用レポートとして出力することを特徴とする請求項１から請求項６のいずれかに記載の貨幣精算装置。
【請求項８】
商品の代金を精算するときの精算処理、および、銀行口座に関する口座取引における貨幣の入出金処理を行なう貨幣精算装置と、前記貨幣精算装置と通信可能に接続され商品の取引データを処理する取引データ処理装置とを含む貨幣取引システムであって、
取引データ処理装置は、
前記精算処理において販売された商品の取引データを格納する記憶部と、
前記貨幣精算装置と通信可能に接続された通信部とを備え、前記貨幣精算装置は、
前記精算処理および前記口座取引において入金または出金された貨幣の取引情報を正券と損券とに分けて金種ごとに記憶する記憶部と、前記取引情報を金種ごとに正券と損券とに区別して出力する出力部とを備えていることを特徴とする貨幣取引システム。
【請求項９】
前記出力部は、前記取引情報を前記精算処理と前記口座取引とに区別して出力することを特徴とする請求項８に記載の貨幣取引システム。
【請求項１０】
前記取引情報は、前記貨幣精算装置が出金によって市場に再流通させた貨幣の金種および正券または損券の情報を含むことを特徴とする請求項８または請求項９に記載の貨幣取引システム。
【請求項１１】
前記取引情報は、中央銀行へ報告することが要求されている情報を含む取引レポートとして前記出力部から出力されることを特徴とする請求項８から請求項１０のいずれかに記載の貨幣取引システム。
【請求項１２】
前記取引情報は、前記貨幣精算装置に格納されている金種ごとの貨幣の在高情報を含み、
前記出力部は、前記在高情報を含む前記取引情報を店舗用レポートとして出力することを特徴とする請求項８から請求項１１のいずれかに記載の貨幣取引システム。
【請求項１３】
商品の代金を精算するときの精算処理、および、銀行口座に関する口座取引における貨幣の入出金処理を行なう貨幣精算装置を用いた貨幣取引方法であって、
前記精算処理において貨幣を入金または出金し、あるいは、前記口座取引において貨幣を出金し、
前記口座取引が行なわれた場合、前記貨幣精算装置は、前記口座取引によって出金された金額を前記銀行口座から引き落とし、
前記貨幣精算装置は、前記精算処理または前記口座取引において入金または出金した貨幣の取引情報を正券と損券とに分けて金種ごとに記憶し、
前記貨幣精算装置は、前記取引情報を金種ごとに正券と損券とに区別して出力することを具備する貨幣取引方法。
【請求項１４】
前記貨幣精算装置は、前記取引情報を前記精算処理と前記口座取引とに区別して出力することを特徴とする請求項１３に記載の貨幣取引方法。
【請求項１５】
前記取引情報は、前記貨幣精算装置が出金によって市場に再流通させた貨幣の金種および正券または損券の情報を含むことを特徴とする請求項１３または請求項１４に記載の貨幣取引方法。
【請求項１６】
前記取引情報は、中央銀行へ報告することが要求されている情報を含む取引レポートとして出力されることを特徴とする請求項１３から請求項１５のいずれかに記載の貨幣取引方法。
【請求項１７】
前記取引情報は、前記貨幣精算装置に格納されている金種ごとの貨幣の在高情報を含み、
前記貨幣精算装置は、前記在高情報を含む前記取引情報を店舗用レポートとして出力することを特徴とする請求項１３から請求項１６のいずれかに記載の貨幣取引方法。
【発明の詳細な説明】
【技術分野】
【０００１】
本発明は、貨幣精算装置、貨幣取引システムおよび貨幣取引方法に係わり、例えば、商品の代金を精算するときの精算処理、および、銀行口座の預金を用いた口座取引において入出金処理を行なう貨幣精算装置、貨幣取引システムおよび貨幣取引方法に関する。
【背景技術】
【０００２】
金融機関等の現金取扱業者（Cash handlers）は、貨幣の真偽および正損を確認し、再流通させた貨幣の真偽および正損の情報を中央銀行へ報告する義務が生じる場合がある。例えば、“DECISION OF THE EUROPEAN CENTRAL BANK of 16 September 2010  on the authenticity and fitness checking and recirculation of euro banknotes  (ECB/2010/14) (2010/597/EU)”（ユーロ紙幣の真偽・正損確認および再流通に関する２０１０年９月１６日のＥＣＢの決議（以下、ＥＣＢ決議とも言う））では、ユーロ紙幣の真偽および正損確認と再流通とに関する規則および手順を規定している。
【０００３】
近年、商品を売買する店舗において使用されるＰＯＳ（Point Of Sale）レジスタや釣銭機は、単に、商品の代金を入金し、釣銭を出金する精算処理だけでなく、顧客の銀行口座から直接代金を引き落とし、あるいは、銀行口座から貨幣を引き出すような口座取引が可能な場合がある。このように口座取引が可能なＰＯＳレジスタや釣銭機を有する店舗は、金融機関と同様に上記ＥＣＢ決議のような規則に従って、再流通させた貨幣の真偽および正損の情報を報告する義務が生じる場合がある。
【先行技術文献】
【特許文献】
【０００４】
【特許文献１】特開平１０−１９８８６６号公報
【特許文献２】特開２００３−２２３６８０号公報
【発明の開示】
【発明が解決しようとする課題】
【０００５】
しかしながら、従来のＰＯＳレジスタや釣銭機は上記のような報告義務に対応しておらず、報告書の作成のためには多くの店員の手間と時間が必要になるおそれがある。
【０００６】
例えば、特許文献１の装置は、釣銭機内の金種別の在高情報を記憶しており、現金在高または商品の販売データを出力する。しかし、特許文献１に開示されているレポートは、ＥＣＢ決議等の規則に準拠したものではなく、ＥＣＢ決議等の規則で義務付けられている報告内容とは異なる。
【０００７】
また、特許文献２の装置も、売上高および釣銭機内の在高のレポートを出力する。しかし、特許文献１と同様に、特許文献２に開示されているレポートも、ＥＣＢ決議等の規則に準拠したものではなく、ＥＣＢ決議等の規則で義務付けられている報告内容とは異なる。
【０００８】
また、ＥＣＢ決議等の規則で義務付けられている報告内容自体は、店舗側にとって必ずしも必要な情報とは限らず、そのような報告書を作成することは店舗側にとってメリットがない場合がある。
【０００９】
そこで、本発明は、上述の問題に鑑みてなされたものであり、商品等を売買する店舗において、中央銀行等に報告が義務づけられている事項を容易に出力することができ、かつ、店舗側にとっても有益な情報を出力することができる貨幣精算装置および貨幣取引システムを提供することを目的とする。
【課題を解決するための手段】
【００１０】
本発明による実施形態に従った貨幣精算装置は、商品の代金を精算するときの精算処理、および、銀行口座に関する口座取引における貨幣の入出金処理を行なうことができる貨幣精算装置であって、前記精算処理および前記口座取引において入金または出金された貨幣の取引情報を正券と損券とに分けて金種ごとに記憶する記憶部と、前記取引情報を金種ごとに正券と損券とに区別して出力する出力部とを備えている。
【００１１】
前記出力部は、前記取引情報を前記精算処理と前記口座取引とに区別して出力するように構成してもよい。
【００１２】
前記取引情報は、出金によって市場に再流通させた貨幣の金種および正券または損券の情報を含むように構成してもよい。
【００１３】
前記取引情報は、中央銀行へ報告することが要求されている情報を含む取引レポートとして前記出力部から出力されるように構成してもよい。
【００１４】
前記取引レポートは、前記貨幣精算装置のメーカー情報と、前記貨幣精算装置の機種情報と、前記貨幣精算装置が設置された店舗の情報とを有するマスタデータを含むように構成してもよい。
【００１５】
前記取引レポートは、前記貨幣精算装置が前記精算処理によって精算する貨幣量の情報および前記口座取引の出金によって再流通させた貨幣量の情報を、金種ごとに正券と損券とに区別した状態で含む作業データを含むように構成してもよい。
【００１６】
前記取引情報は、前記貨幣精算装置に格納されている金種ごとの貨幣の在高情報を含み、前記出力部は、前記在高情報を含む前記取引情報を店舗用レポートとして出力するように構成してもよい。
【００１７】
本発明による実施形態に従った貨幣取引システムは、商品の代金を精算するときの精算処理、および、銀行口座に関する口座取引における貨幣の入出金処理を行なうことができる貨幣精算装置と、前記貨幣精算装置と通信可能に接続され商品の販売データを処理する取引データ処理装置とを含む貨幣取引システムであって、
取引データ処理装置は、前記精算処理において販売された商品の販売データを格納する記憶部と、前記貨幣精算装置と通信可能に接続された通信部とを備え、前記貨幣精算装置は、前記精算処理および前記口座取引において入金または出金された貨幣の取引情報を正券と損券とに分けて金種ごとに記憶する記憶部と、前記取引情報を金種ごとに正券と損券とに区別して出力する出力部とを備えている。
【００１８】
前記出力部は、前記取引情報を前記精算処理と前記口座取引とに区別して出力するように構成してもよい。
【００１９】
前記取引情報は、前記貨幣精算装置が出金によって市場に再流通させた貨幣の金種および正券または損券の情報を含むように構成してもよい。
【００２０】
前記取引情報は、中央銀行へ報告することが要求されている情報を含む取引レポートとして前記出力部から出力されるように構成してもよい。
【００２１】
前記取引情報は、前記貨幣精算装置に格納されている金種ごとの貨幣の在高情報を含み、前記出力部は、前記在高情報を含む前記取引情報を店舗用レポートとして出力するように構成してもよい。
【００２２】
本発明による実施形態に従った貨幣取引方法は、商品の代金を精算するときの精算処理、および、銀行口座に関する口座取引における貨幣の入出金処理を行なうことができる貨幣精算装置を用いた貨幣取引方法であって、
前記精算処理において貨幣を入金または出金し、あるいは、前記口座取引において貨幣を出金し、
前記口座取引が行なわれた場合、前記貨幣精算装置は、前記口座取引によって出金された金額を前記銀行口座から引き落とし、
前記貨幣精算装置は、前記精算処理または前記口座取引において入金または出金した貨幣の取引情報を正券と損券とに分けて金種ごとに記憶し、
前記貨幣精算装置は、前記取引情報を金種ごとに正券と損券とに区別して出力することを具備する。
【００２３】
前記貨幣精算装置は、前記取引情報を前記精算処理と前記口座取引とに区別して出力するように構成してもよい。
【００２４】
前記取引情報は、前記貨幣精算装置が出金によって市場に再流通させた貨幣の金種および正券または損券の情報を含むように構成してもよい。
【００２５】
前記取引情報は、中央銀行へ報告することが要求されている情報を含む取引レポートとして出力されるように構成してもよい。
【００２６】
前記取引情報は、前記貨幣精算装置に格納されている金種ごとの貨幣の在高情報を含み、前記貨幣精算装置は、前記在高情報を含む前記取引情報を店舗用レポートとして出力するように構成してもよい。
【発明の効果】
【００２７】
本発明による貨幣精算装置および貨幣取引システムは、商品等を売買する店舗において、中央銀行等に報告が義務づけられている事項を容易に出力することができ、かつ、店舗側にとっても有益な情報を出力することができる。
【図面の簡単な説明】
【００２８】
【図１】本発明に係る実施形態に従った貨幣取引システム２および銀行側システム３の構成を示すブロック図。
【図２】各貨幣精算装置１１の一例を示す外観を示す図。
【図３】貨幣精算装置１１の構成例を示すブロック図。
【図４】本実施形態に従ったＰＯＳレジスタ１５の外観を示す斜視図。
【図５】ＰＯＳレジスタ１５の構成を示すブロック図。
【図６】本実施形態による貨幣取引システム２の動作を示すフロー図。
【図７】本実施形態による貨幣取引システム２の動作を示すフロー図。
【図８】精算処理または口座取引のログ情報を示す表。
【図９】精算処理および口座取引のログ情報を、金種ごとに正券と損券とに区別して集計した表。
【図１０】図９に示す集計データに基づいて作成された取引レポートの表示例。
【図１１】図９に示す集計データ基づいて作成された取引レポートの他の表示例。
【図１２】店舗用レポートの表示例。
【発明を実施するための最良の形態】
【００２９】
以下、図面を参照して本発明による実施形態を説明する。本実施形態は、本発明を限定するものではない。
【００３０】
図１は、本発明に係る実施形態に従った貨幣取引システム２および銀行側システム３の構成を示すブロック図である。貨幣取引システム２は、商品の代金を精算するときに用いられる貨幣および商品のデータを処理および管理するシステムである。銀行側システム３は、顧客の預金口座を管理し、口座への入金または口座からの出金を処理するシステムである。
【００３１】
貨幣取引システム２は、店舗内のチェックアウトエリアに設けられており、店員が顧客との間でやりとりした貨幣を入出金するチェックアウトカウンター１０と、チェックアウトカウンター１０の貨幣および商品を管理するバックオフィス２０とから構成されている。
【００３２】
チェックアウトカウンター１０には、貨幣精算装置１１とＰＯＳレジスタ１５とが３セット設けられている。貨幣精算装置１１は、貨幣を入金および出金することにより顧客との間で商品購入のための精算処理を行うことができ、かつ、ＰＯＳレジスタ１５の指示に基づいて銀行口座の預金を用いた口座取引を行なうことができる。ＰＯＳレジスタ１５は、商品の販売データおよび商品を購入した顧客のデータを処理および管理を行なうと共に、銀行口座の預金を用いた口座取引の操作部として使用される。図１では、貨幣精算装置１１およびＰＯＳレジスタ１５のセットが３つ設けられているが、これらの数は限定しない。
【００３３】
貨幣精算装置１１およびＰＯＳレジスタ１５は、店員または顧客自らによって操作され、店員と顧客との間の精算処理および口座取引に用いられる。例えば、貨幣精算装置１１は、顧客が支払った代金を入金し、あるいは、顧客へ支払う貨幣を出金する。ＰＯＳレジスタ１５は、商品の販売データ・口座取引データおよび購入者のデータを処理し、これらのデータを格納する。
【００３４】
貨幣精算装置１１は、例えば、店員によって操作されるＰＯＳレジスタ１５または顧客によって操作されるセルフチェックアウト用レジスタ（図示せず）と通信可能に接続されている。貨幣精算装置１１は、ＰＯＳレジスタ（またはセルフチェックアウト用レジスタ）１５と一体に構成されていてもよい。
【００３５】
バックオフィス２０には、貨幣処理装置２１と、貨幣管理装置２５と、ＰＯＳ管理装置２６と、プリンタ２７とが設けられている。チェックアウトカウンター１０とバックオフィス２０とは、ＬＡＮ（Local Area Network）等を介して通信可能に接続されている。貨幣処理装置２１は、貨幣精算装置１１と通信可能に接続されており、例えば、貨幣精算装置１１へ装填するための釣銭準備金を出金し、あるいは、貨幣精算装置１１から回収した売上金を入金する。貨幣管理装置２５は、貨幣精算装置１１および貨幣処理装置２１と通信可能に接続されており、貨幣精算装置１１および貨幣処理装置２１に収納されている貨幣を管理する。例えば、貨幣管理装置２５は、貨幣精算装置１１のそれぞれにおいて精算処理された貨幣、並びに、貨幣精算装置１１と貨幣処理装置２１との間で授受された貨幣を管理する。ＰＯＳ管理装置２６は、ＰＯＳレジスタ１５と通信可能に接続されており、商品の流れを管理する。プリンタ２７は、貨幣精算装置１１、ＰＯＳレジスタ１５、貨幣処理装置２１、貨幣管理装置２５、ＰＯＳ管理装置２６から受け取った各種データを印字することができるように構成されている。
【００３６】
貨幣取引システム２は、インターネットや電話回線等を介して銀行側システム３に通信可能に接続されている。これにより、貨幣取引システム２は、顧客の要求に応じて、その顧客の銀行口座の預金から商品の代金を引き落とし、あるいは、銀行口座の預金から現金を引き出すことができる。
【００３７】
［貨幣精算装置１１の構成］
各貨幣精算装置１１は、紙幣を入金および出金することにより精算処理を行う紙幣入出金装置１２と、硬貨を入金および出金することにより精算処理を行う硬貨入出金装置１３と、を含む。
【００３８】
紙幣入出金装置１２の構成要素と硬貨入出金装置１３の構成要素とを区別するために、図２では、紙幣入出金装置１２の構成要素の参照番号に“ａ”を付し、硬貨入出金装置１３の構成要素の参照番号に“ｂ”を付す。尚、硬貨入出金装置１３および紙幣入出金装置１２は、取り扱う対象が硬貨と紙幣とでそれぞれ異なるので具体的構成については相違するものの、図３に示す基本的なブロック構成については同様でよい。
【００３９】
図２は、各貨幣精算装置１１の一例を示す外観を示す図である。貨幣精算装置１１は、紙幣入出金装置１２および硬貨入出金装置１３を備える。紙幣入出金装置１２は、筐体１００ａと、入金部１１０ａと、出金部１２０ａとを備えている。入金部１１０ａは、顧客から受け取った紙幣を投入するために設けられている。出金部１２０ａは、釣銭紙幣を投出するために設けられている。
【００４０】
硬貨入出金装置１３は、筐体１００ｂと、入金部１１０ｂと、出金部１２０ｂとを備えている。入金部１１０ｂは、顧客から受け取った硬貨を投入するために設けられている。出金部１２０ｂは、釣銭硬貨を投出するために設けられている。
【００４１】
図３は、貨幣精算装置１１の構成例を示すブロック図である。貨幣精算装置１１は、入金部１１０および出金部１２０のほか、搬送部１３０と、識別部１４０と、収納部１５０と、メモリ１７０と、出力部としての通信部１８０と、制御部１９０とをさらに備えている。
【００４２】
搬送部１３０は、入金部１１０に投入された貨幣を収納部１５０へ搬送し、あるいは、出金部１２０から投出する貨幣を収納部１５０から搬送するように構成されている。
【００４３】
識別部１４０は、搬送部１３０によって搬送されている貨幣の金種、真偽、正損、新旧、数量等を検知するように構成されている。例えば、識別部１４０は、イメージセンサまたは磁気センサ等のセンサを備えている。
【００４４】
収納部１５０は、識別部１４０において識別された貨幣を金種ごとに収納することができるように構成されている。収納部１５０は、紙幣を収納する場合、各紙幣を金種ごとに積み重ねて収納するスタック式収納部でもよく、あるいは、各紙幣を金種ごとに複数のテープ間に挟み込んだ状態で該テープを紙幣とともに巻き取る複数のテープリール式収納部であってもよい。
【００４５】
ここで、収納部１５０は、紙幣を金種ごとに正券と損券とを区別してリサイクル可能に収納する。例えば、収納部１５０は、金種ごとに正券と損券とを個別の収納庫に収納してもよい。あるいは、収納部１５０は、正券と損券とを混合状態で収納する場合、メモリ１７０が正券および損券の収納順を記憶する。収納部１５０がスタック式収納部である場合、メモリ１７０は、紙幣の正券と損券とをスタック順に従って記憶する。収納部１５０がテープリール式収納部である場合、メモリ１７０は、紙幣の正券と損券とを巻取り順に従って記憶する。これにより、収納部１５０は、紙幣を金種ごとに正券と損券とを区別して収納することができる。
【００４６】
正券は、汚れ、染み、落書き、色落ち、裂け、切断、穴、しわ等が少なく良好な状態の紙幣である。損券は、汚れ、染み、落書き、色落ち、裂け、切断、穴、しわ等の何れか少なくとも１つあり良好な状態とは言えない紙幣である。正損の区別は、上記ＥＣＢ規則にも定義されている。正損の区別は、識別部１４０によって機械的に実行され、あるいは、熟練スタッフによって判断される。従って、正損の区別は、貨幣精算装置１１の機種（判別部１４０の種類）等によって異なる場合がある。
【００４７】
メモリ１７０は、貨幣精算装置１１を制御する各種プログラムおよびデータを格納するＲＯＭ（Read Only Memory）またはＨＤＤ(Hard Disk Drive)、および、プログラムのロード領域やプログラム実行時における作業領域となるＲＡＭ(Random Access Memory)等を含む。メモリ１７０は、収納部１５０に収納されている貨幣の金種ごとの収納量（在高）も記憶している。また、メモリ１７０は、入出金され、識別部１４０で識別された貨幣の数量を金種ごとに記憶する。
【００４８】
出力部としての通信部１８０は、貨幣取引システム２を構成する他の装置（貨幣処理装置２１、貨幣管理装置２５、ＰＯＳ管理装置２６、プリンタ２７）と通信可能に接続されている。例えば、通信部１８０は、収納部１５０に収納されている在高データ、入出金に用いた貨幣のデータを貨幣処理装置２１、貨幣管理装置２５およびプリンタ２７へ送信することができる。
【００４９】
制御部１９０は、メモリ１７０内のプログラムを実行して貨幣精算装置１１の全体を制御するように構成された演算処理装置（ＣＰＵ）である。
【００５０】
［ＰＯＳレジスタ１５の構成］
図４は、本実施形態に従ったＰＯＳレジスタ１５の外観を示す斜視図である。取引データ処理装置としてのＰＯＳレジスタ１５は、キーボード３２、モードキー３３、操作者用表示器３４、客用表示器３５、コードスキャナ３６、プリンタ３７、カードリーダ３８等を備えている。操作者用表示器３４には、入力装置としてのタッチパネル４３が積層して取り付けられている。
【００５１】
図５は、ＰＯＳレジスタ１５の構成を示すブロック図である。ＰＯＳレジスタ１５は、制御部４４と、記憶部４５と、通信部４６とをさらに備えている。
【００５２】
メモリ４５は、ＰＯＳレジスタ１５を制御する各種プログラムおよびデータを格納するＲＯＭまたはＨＤＤ、および、プログラムのロード領域やプログラム実行時における作業領域となるＲＡＭ等を含む。メモリ４５は、各種プログラムの他に、商品ファイル、販売データ、顧客データ等を格納している。商品ファイルは、商品コードに対応付けて商品名や単価などを記憶するファイルである。販売データは、販売された商品の商品名、個数、価格等のデータである。顧客データは、商品を購入した顧客の年齢、性別等のデータである。
【００５３】
通信部４６は、貨幣取引システム２を構成する他の装置（貨幣精算装置１１、ＰＯＳ管理装置２６、プリンタ２７、銀行側システム３）と通信可能に接続されている。
【００５４】
制御部４４は、メモリ４５内のプログラムを実行してＰＯＳレジスタ１５の全体を制御するように構成された演算処理装置（ＣＰＵ）である。例えば、制御部４４は、通信部４６を制御することによって、商品ファイル、販売データ、顧客データを貨幣精算装置１１、ＰＯＳ管理装置２６およびプリンタ２７へ送信することができる。
【００５５】
キーボード３２は、操作されたキーに応じた信号を制御部４４に入力するように構成されている。モードキー３３は、ＰＯＳレジスタ１５の動作モードを登録モード、設定モード、口座取引モード、点検モード等の各業務モードに設定するように構成されている。操作者用表示器３４及び客用表示器３５は、メモリ４５に格納されたデータ、あるいは、キーボード３２またはモードキー３３、タッチパネル４３に入力されたデータを表示する。コードスキャナ３６は、商品に付されたバーコードなどの商品コードを光学的に読み取るように構成されている。プリンタ３７は、メモリ４５に格納されたデータ、あるいは、キーボード３２またはモードキー３３、タッチパネル４３に入力されたデータをレシートに印字するように構成されている。カードリーダ３８は、銀行の口座取引を行なう時にキャッシュカードを読み取るようになっている。
【００５６】
図６および図７は、本実施形態による貨幣取引システム２の動作を示すフロー図である。本実施形態による貨幣取引システム２は、商品の代金を貨幣で精算する精算処理、および、商品の代金を銀行口座の預金を用いて精算しあるいは銀行口座の預金から貨幣を引き出す口座取引を行なうことができる。銀行口座の預金から貨幣を引き出す口座取引は、銀行等のＡＴＭ（automated teller machine）を用いた貨幣の引き出しと同様の取引（ＡＴＭ出金）である。勿論、貨幣取引システム２は、クレジットカードを用いたクレジット払いも可能であるが、貨幣を用いないクレジット払いについては本実施形態と直接関係ないので、その説明を省略する。
【００５７】
［精算処理：図６］
顧客が商品を購入する際に、ＰＯＳレジスタ１５は、商品の売上登録処理を行う。売上登録処理では、例えば、コードスキャナ３６が商品に付された商品コードを読み取る（Ｓ１０）と、制御部４４は、商品コードに基づいて商品ファイルを検索し、該当する商品コードに対応する商品名や単価等の商品情報を読み出す。そして、制御部４４は、商品コードおよび商品情報を互いに関連付けてメモリ４５に登録する（Ｓ２０）。顧客が購入する全ての商品について商品の販売登録が完了すると、店員が小計キーを押下する。
【００５８】
店員が小計キーを押下すると、制御部４４は、商品の売上金額を算出して、その売上金額をメモリ４５に格納する（Ｓ４０）。
【００５９】
顧客が現金で代金を支払う場合、店員は、キーボード３２を操作して精算処理を行なう。精算処理では、店員が、顧客から預かった貨幣を貨幣精算装置１１の入金部１１０に投入する（Ｓ５２）。貨幣精算装置１１において投入された貨幣は、搬送部１３０によって収納部１５０へ搬送される。識別部１４０は、搬送されている貨幣の真偽、正損、新旧、数量等を検知し（Ｓ５４）、入金貨幣の金額を算出する（Ｓ５５）。メモリ１７０は、入金金額と共に貨幣の真偽、正損、新旧、数量等の検知結果を記憶する（Ｓ５６）。即ち、このとき、メモリ１７０は、少なくとも入金された貨幣を正券と損券とに分けて金種ごとに記憶する。
【００６０】
制御部４４は、その入金金額からメモリ４５に格納された売上金額を減じて釣銭金額を算出する（Ｓ６０）。そして、ＰＯＳレジスタ１５は、貨幣精算装置１１に対して釣銭金額を送信するとともに、プリンタ３７において商品情報や精算処理の情報をレシートに印字する（Ｓ７０）。
【００６１】
貨幣精算装置１１は、ＰＯＳレジスタ１５から受信した釣銭金額に対応する貨幣を出金部１２０から投出する（Ｓ８０）。店員は、釣銭、レシートおよび商品を顧客に渡し、精算処理が終了する。
【００６２】
上述のＥＣＢ決議のような規則がある場合であっても、店舗における貨幣を用いた通常の精算処理においては、金融機関のような現金取扱業者が行う業務と異なり、正券および損券を釣銭として出金しても差し支えない。従って、貨幣を用いた通常の精算処理において、貨幣精算装置１１は、正券と損券とを区別することなく釣銭として出金することができる。ただし、このとき、メモリ１７０は、出金した正券の数および損券の数を記憶する。
【００６３】
［口座取引（ＡＴＭ出金）：図７］
顧客が銀行口座の預金を用いて貨幣を貨幣取引システム２から引き出す場合、店員は、ＰＯＳレジスタ１５のモードキー３３を操作して口座取引モードとする（Ｓ１００）。顧客が銀行のキャッシュカードを店員に渡すと、店員はそのカードをカードリーダ３８に通す。顧客は、キーパット（図示せず）を操作してパスワードを入力する（Ｓ１１０）。
【００６４】
ＰＯＳレジスタ１５は、銀行側システム３に口座情報を送信し、銀行側システム３から当該口座の預金残高等を得る（Ｓ１２０）。ＰＯＳレジスタ１５は、預金残高を上限として貨幣の出金を許可する。店員または顧客は、キーボード３２等を操作して顧客の希望する出金金額を入力する（Ｓ１３０）。このとき、出金金額は、口座の預金残高以下である必要がある。
【００６５】
預金残高以下の出金金額が入力されると、ＰＯＳレジスタ１５は、口座番号、出金金額や出金後の預金残高等の口座取引情報および出金金額を貨幣精算装置１１へ送信するとともに、プリンタ３７において、口座取引情報をレシートに印字する（Ｓ１４０）。さらに、ＰＯＳレジスタ１５は、口座番号、出金金額および出金後の預金残高等の口座取引情報を銀行側システム３に送信する（Ｓ１５０）。銀行側システム３は、この口座取引情報に基づいて顧客の口座の残高を更新する。
【００６６】
貨幣精算装置１１は、ＰＯＳレジスタ１５から受信した出金金額に対応する貨幣を出金部１２０から投出する（Ｓ１７０）。このとき、貨幣取引システム２が現金取扱業者と同様にＡＴＭ出金を行なう。従って、上述のＥＣＢ決議のような規則がある場合には、貨幣取引システム２は、現金取扱業者が行う金融業務と同様に、正券のみで出金する必要があり、損券を用いて出金することは禁止される。従って、貨幣精算装置１１は、正券のみを投出する。例えば、収納部１５０が正券と損券とを個別の収納庫に収納している場合、貨幣精算装置１１は、正券の収納庫から貨幣を繰出し、その貨幣を出金部１２０へ投出する。収納部１５０が正券と損券とを混合状態で収納している場合、メモリ１７０に記憶されている正券および損券の順番に基づいて正券のみを出金部１２０へ投出する。メモリ１７０は、このとき出金した正券の数を記憶する（Ｓ１８０）。
【００６７】
店員が貨幣およびレシートを顧客に渡すと、口座取引が終了する。
【００６８】
尚、口座取引は、商品の代金の引き落としを含んでいてもよい。つまり、顧客は、自己の銀行口座の預金を用いてその商品の代金を精算し、かつ、銀行口座からＡＴＭ出金を行なってもよい。例えば、顧客が商品の代金としての２０ユーロを銀行口座から支払い、かつ、８０ユーロを銀行口座から引き出す（ＡＴＭ出金）する場合、貨幣取引システム２は、銀行口座から１００ユーロを引き出す。１００ユーロのうち２０ユーロは、商品の代金に充てられ、残りの８０ユーロが顧客へ出金される。
【００６９】
［取引レポートおよび店舗用レポートの作成］
図８は、精算処理または口座取引のログ情報を示す表である。上記精算処理および口座取引を繰り返すと、図８に示すような精算処理または口座取引のログ情報がメモリ１７０に格納される。このログ情報は、精算処理または口座取引のそれぞれにおいて、入出金された貨幣の正券の数および損券の数を金種ごとに示した情報である。また、このログ情報は、各精算処理または口座取引の取引日時も含まれている。
【００７０】
例えば、取引番号１は、精算処理のログである。この精算処理では、貨幣精算装置１１は、１枚の２００ユーロ紙幣の正券および１枚の５０ユーロ紙幣の正券を入金している。そして、貨幣精算装置１１は、２枚の２０ユーロ紙幣の正券、１枚の１０ユーロ紙幣の正券および１枚の５ユーロ紙幣の正券を出金している。これは、貨幣精算装置１１が顧客から２５０ユーロ分の紙幣を代金として預かり、顧客に対して３５ユーロ分の紙幣を釣銭として出金したことを意味する。
【００７１】
取引番号２も精算処理のログである。この精算処理では、貨幣精算装置１１が１枚の１０ユーロ紙幣の正券および１枚の２０ユーロ紙幣の損券を入金している。そして、貨幣精算装置１１は、１枚の５ユーロ紙幣の損券を出金している。つまり、貨幣精算装置１１は、商品を購入する顧客から３０ユーロを預かり金として入金し、５ユーロを釣銭として出金している。この精算処理では、貨幣精算装置１１は５ユーロ紙幣の損券を出金しているが、通常の精算処理では損券を出金しても問題とはならない。
【００７２】
取引番号３は口座取引のログである。この口座取引では、貨幣取引システム２は、顧客の銀行口座から１００ユーロの引き出しを行い、貨幣精算装置１１は、１枚の１００ユーロ紙幣の正券を出金している。
【００７３】
顧客が銀行口座から１００ユーロの引き出しを行い、同時に、２０ユーロの商品を購入する場合、取引番号４に示すように、貨幣精算装置１１は、１００ユーロのうち２０ユーロを商品の代金に充て、残金８０ユーロを出金すればよい。このとき、貨幣精算装置１１は、１枚の５０ユーロ紙幣の正券および３枚の１０ユーロ紙幣の正券を出金している。
【００７４】
ここで、上記ＥＣＢ規則によれば、上記口座取引では、損券を出金することは禁止されている。従って、口座取引において、出金される貨幣は、全て正券である必要がある。
【００７５】
図９は、精算処理および口座取引のログ情報を、金種ごとに正券と損券とに区別して集計した表である。図８に示す表は、各精算処理および各口座取引のログ情報が個別に示されている。貨幣精算装置１１の制御部１９０は、精算処理および口座取引のログ情報を所定期間（例えば、１日、１週間、１ヶ月等）にわたって集計することによって図９に示す集計データ（取引情報）を作成することができる。図９に示す集計データも、図８に示すログ情報と同様にメモリ１７０に格納される。
【００７６】
出金枚数は、精算処理および口座取引において出金された紙幣の枚数であり、精算処理において出金された紙幣枚数（釣銭出金）と口座取引において出金された紙幣枚数（ＡＴＭ出金）とに区別されている。さらに、釣銭出金およびＡＴＭ出金において出金された紙幣枚数は、正券と損券とに区別されている。図９に示す例では、釣銭出金において、２０ユーロ紙幣の損券が２枚および５ユーロ紙幣の損券が３枚出金されている。ＡＴＭ出金においては、損券は出金されていない。その他の出金は、正券を用いて行なわれている。
【００７７】
一方、入金枚数は、精算処理および口座取引において入金された紙幣の枚数であり、正券と損券とに区別されている。図９に示す例では、５０ユーロ紙幣の損券が１枚、２０ユーロ紙幣の損券が３枚、１０ユーロ紙幣の損券が５枚、５ユーロ紙幣の損券が１０枚入金されている。その他の入金紙幣は正券である。
【００７８】
回収枚数は、収納部１５０から回収すべき紙幣の枚数である。収納部１５０は、金種ごとに基準値が設定されており、その基準値を超えた超過の紙幣は、収納部１５０から回収される。また、損券についても回収の対象とする。つまり、超過の紙幣および損券を回収枚数として示している。超過の紙幣および損券は、通常の収納庫とは別の回収用スタッカに収納してよい。
【００７９】
収納部１５０の在高は、収納部１５０の現時点の在高を、正券と損券とに区別して金種ごとに示されている。
【００８０】
図９に示す例では、５ユーロ紙幣〜１００ユーロ紙幣の各金種の収納庫は、開店当初、例えば、１００枚の紙幣をそれぞれ収納している。そして、５０ユーロ紙幣および１００ユーロ紙幣の収納庫では、基準値が、例えば、１００枚と設定されており、５ユーロ紙幣〜２０ユーロ紙幣の収納庫では、基準値が、例えば、２００枚と設定されている。
【００８１】
５０ユーロ紙幣および１００ユーロ紙幣の収納庫は、それぞれ１００枚の紙幣を収納しており、基準値が１００枚と設定されているので、５０ユーロ紙幣および１００ユーロ紙幣のそれぞれの増加分の紙幣は、回収枚数としてカウントされる。よって、図９において、５０ユーロ紙幣および１００ユーロ紙幣の収納庫の在高は、ともに１００枚となっている。
【００８２】
５ユーロ紙幣〜２０ユーロ紙幣の各収納庫は、それぞれ１００枚の紙幣を収納しており、基準値が２００枚と設定されているので、それらの収納庫に収納されている紙幣は、入金された正券の数だけ増加し、出金された正券の数だけ減少する。差し引いた数だけ増加する。例えば、図９に示すように、５ユーロ紙幣では、入金された正券の数が９０枚であり、出金された正券の数が８０枚であるので、５ユーロ紙幣は、１０枚増加している。よって、５ユーロ紙幣の収納庫の在高は、１１０枚となる。同様に、１０ユーロ紙幣では、入金された正券の数が４５枚であり、出金された正券の数が４０枚であるので、１０ユーロ紙幣は、５枚増加している。よって、１０ユーロ紙幣の収納庫の在高は、１０５枚となる。２０ユーロ紙幣では、入金された正券の数が２２枚であり、出金された正券の数が２０枚であるので、２０ユーロ紙幣は、２枚増加している。よって、２０ユーロ紙幣の収納庫の在高は、１０２枚となる。
【００８３】
さらに、ここでは、２００ユーロ紙幣および５００ユーロ紙幣のような金額の大きな紙幣は、出金しない。従って、入金された２００ユーロ紙幣および５００ユーロ紙幣は、全て回収枚数としてカウントされる。従って、これらの紙幣の在高はゼロである。
【００８４】
図１０は、図９に示す集計データに基づいて作成された取引レポートの表示例である。
【００８５】
例えば、上述のＥＣＢ議決によれば、現金取扱業者は、欧州の中央銀行（ＥＣＢ（European Central Bank）またはＮＣＢ（National Central Bank））にマスタデータおよび作業データを含むレポート（取引情報）を定期的に提出する必要がある。上記のように商品を販売する店舗が精算処理だけでなく、ＡＴＭ出金のような口座取引を行なう場合には、このような店舗も、マスタデータおよび作業データを含む取引レポートを定期的に中央銀行へ提出する義務が生じると考えられる。
【００８６】
マスタデータは、正損の判別を行なう貨幣精算装置１１の型式および貨幣精算装置１１のメーカー名等の貨幣精算装置１１の情報、並びに、貨幣精算装置１１が設置された店舗名等の店舗情報を含むデータである。マスタデータは、予めメモリ１７０に格納されている。尚、通常、貨幣精算装置１１が紙幣の正損の判別を行なうので、貨幣精算装置１１が規則で許可された機種であることを確認するために、貨幣精算装置１１の機種の特定が必要となる。
【００８７】
作業データは、貨幣精算装置１１が精算処理によって精算する貨幣量の情報および口座取引の出金によって再流通させた貨幣量の情報を、金種ごとに正券と損券とに区別した状態で含む。作業データは、例えば、各金種における紙幣の合計処理枚数、そのうち損券の処理枚数、さらに、損券の処理枚数のうちの再流通した枚数（出金枚数）等を含むデータである。作業データは、図９に示す集計データから得ることができる。
【００８８】
図１０に示す取引レポートは、各貨幣精算装置１１の制御部１９０によって作成され、通信部１８０によって貨幣管理装置２５およびプリンタ２７へ出力される。貨幣管理装置２５は、貨幣管理装置１１からのそれぞれの取引レポートの内容を格納する。プリンタ２７は、これらの取引レポートを印刷する。尚、各貨幣精算装置１１は取引レポートを貨幣管理装置２５のみへ出力し、貨幣管理装置２５が各貨幣管理装置１１の取引レポートをまとめてプリンタ２７へ送信してもよい。
【００８９】
図１０に示す取引レポートは、マスタデータとして、店舗名、支店名、貨幣精算装置１１の機種名、集計したログ情報の取引期間の情報を含み、作業データとして、紙幣の入金枚数、入金紙幣のうち損券の枚数、紙幣の再流通枚数（出金枚数）、および、再流通させた損券枚数（出金した損券枚数）の情報を含む。
【００９０】
ここで、紙幣の入金枚数は、図９に示す入金枚数の正券枚数と損券枚数との和に対応する。入金紙幣のうち損券の枚数は、図９に示す入金枚数のうち損券枚数に対応する。紙幣の再流通枚数（出金枚数）は、図９に示す出金枚数の釣銭出金とＡＴＭ出金との和に対応する。さらに、再流通させた損券枚数（出金した損券枚数）は、釣銭出金およびＡＴＭ出金に区別されており、それぞれ釣銭出金において出金した損券の枚数およびＡＴＭ出金において出金した損券の枚数に対応する。
【００９１】
尚、再流通枚数（出金枚数）および再流通させた損券枚数（出金した損券枚数）から再流通させた正券枚数は容易に算出できる。また、再流通させた正券枚数を取引レポートに含めてもよい。再流通枚数（出金枚数）および再流通させた正券枚数から再流通させた損券枚数は容易に算出できる。従って、再流通させた損券枚数に代えて再流通させた正券枚数を表示しても、再流通させた損券枚数が実質的に取引レポートに表示されていると見なすことができる。
【００９２】
さらに、合計処理枚数は、入金枚数と再流通枚数との和である。よって、入金枚数および再流通枚数の両方が表示されていれば、合計処理枚数が実質的に取引レポートに表示されていると見なすことができる。
【００９３】
このような取引レポートがＥＣＢまたはＮＣＥへ提出される。図１０に示す例では、精算処理の釣銭出金において損券が出金されているものの、口座取引のＡＴＭ出金においては損券は出金されていない。従って、ＥＣＢ議決では問題にならないものと考えられる。
【００９４】
図１１は、図９に示す集計データ基づいて作成された取引レポートの他の表示例である。図１０に示す取引レポートでは入金枚数を表示していたが、図１１に示す取引レポートは、入出金枚数（合計処理枚数）を表示している。入出金枚数（合計処理枚数）は、入金枚数と再流通枚数（出金枚数）との和である。図１１に示す取引レポートのその他のデータは、図１０に示す取引レポートのデータと同様である。
【００９５】
本実施形態による貨幣取引システム２は、図１１に示す取引レポートを中央銀行へ提出してもよい。
【００９６】
このように、本実施形態による貨幣取引システム２は、商品等を売買する店舗においても、ＥＣＢ議決のような規則に則った運用を実行することができ、中央銀行に対して報告が義務づけられている事項を取引レポートとして容易に出力することができる。
【００９７】
図１２は、店舗用レポートの表示例である。店舗用レポートは、店舗にて利用するための情報を含み、ＥＣＢ議決のような規則に関係なく作成される。例えば、図９に示す集計データ（取引情報）は、収納部１５０に格納されている金種ごとの正券および損券の在高情報を含む。従って、貨幣精算装置１１は、この在高情報に基づいて、収納部１５０へ補充すべき正券の枚数を店員に知らせることができる。
【００９８】
図１２に示す例では、５ユーロ紙幣〜２０ユーロ紙幣の収納庫（スタッカ１〜３）について、現在の在高、正券下限枚数、正券補充枚数、および、正券発注枚数を表示している。正券下限枚数は、各スタッカ１〜３に収納されている紙幣（正券）の下限値であり、予めメモリ１７０に格納されている。紙幣（正券）の在高が下限値を下回った場合、そのスタッカに正券を補充する必要がある。本実施形態では、５ユーロ紙幣〜２０ユーロ紙幣の下限値は、５０枚と設定されている。従って、５ユーロ紙幣〜２０ユーロ紙幣の正券の枚数が５０枚を下回った場合、店員は、５ユーロ紙幣〜２０ユーロ紙幣を補充する必要がある。
【００９９】
正券補充枚数は、補充する正券の枚数であり、予めメモリ１７０に格納されている。正券補充枚数は、店舗において任意に設定することができる。例えば、正券補充枚数を１００枚と設定した場合、５ユーロ紙幣〜２０ユーロ紙幣の正券の枚数が５０枚を下回ったときに、正券補充枚数は１００枚と表示される。
【０１００】
正券発注枚数は、警送会社（ＣＩＴ（Cash In Transit））へ補充を発注した正券の枚数である。正券補充枚数が予め設定されているので、紙幣（正券）の在高が下限値を下回った場合、貨幣精算装置１１は、ＣＩＴへ貨幣の補充を自動で発注することができる。店員は、正券発注枚数によって、ＣＩＴへの補充の発注が行なわれたことを確認することができる。通常、ＣＩＴへの補充の発注が実行されると、正券発注枚数は正券補充枚数と等しくなる。
【０１０１】
尚、図１２に示す例では、５ユーロ紙幣〜２０ユーロ紙幣の正券の枚数は、いずれも５０枚以上（下限値以上）となっている。従って、正券補充枚数および正券発注枚数は、いずれの金種においてもゼロとなっている。
【０１０２】
各貨幣精算装置１１の通信部１８０は、このような店舗用レポートを出力することができる。プリンタ２７は、貨幣精算装置１１のそれぞれの店舗用レポートを印刷する。店員は、各貨幣精算装置１１における各金種の貨幣の現在の在高、各金種の貨幣の在高不足、および、補充の発注状況を把握することができる。このように、貨幣精算装置１１は、集計データに基づいて、店舗側にとって有益な情報を含む店舗用レポートを得ることができる。
【０１０３】
以上のように本実施形態による貨幣取引システム２は、取引情報を用いて、中央銀行等に報告が義務づけられている取引レポートだけでなく、店舗側にとっても有益な情報を含む店舗用レポートを出力することができる。
【０１０４】
以上の実施形態において、紙幣の正損に関して説明したが、紙幣の真偽についても同様に取引レポートに含めることができる。但し、偽券は、精算処理および口座取引の両方において再流通（出金）させてはならない。従って、偽券が入金された場合には、貨幣精算装置１１は、その偽券を全て回収する必要がある。
【符号の説明】
【０１０５】
２・・・貨幣取引システム、３・・・銀行側システム、１０・・・チェックアウトカウンター、１１・・・貨幣精算装置、１２・・・紙幣入出金装置、１３・・・硬貨入出金装置、１５・・・ＰＯＳレジスタ、２０・・・バックオフィス、２１・・・貨幣処理装置、２５・・・貨幣管理装置、２６・・・ＰＯＳ管理装置、２７・・・プリンタ、１１０・・・入金部、１２０・・・出金部、１３０・・・搬送部、１４０・・・識別部、１５０・・・収納部、１７０・・・メモリ、１８０・・・通信部、１９０・・・制御部、３２・・・キーボード、３３・・・モードキー、３４・・・操作者用表示器、３５・・・客用表示器、３６・・・コードスキャナ、３７・・・プリンタ、４４・・・制御部、４５・・・記憶部、４６・・・通信部
【図１】
2013134568.tif 000003
【図２】
2013134568.tif 000004
【図３】
2013134568.tif 000005
【図４】
2013134568.tif 000006
【図５】
2013134568.tif 000007
【図６】
2013134568.tif 000008
【図７】
2013134568.tif 000009
【図８】
2013134568.tif 000010
【図９】
2013134568.tif 000011
【図１０】
2013134568.tif 000012
【図１１】
2013134568.tif 000013
【図１２】
2013134568.tif 000014